(57)【要約】  実施形態のイヤホン１は、振動膜９と、振動膜９を支持するヨーク１０と、を有し、振動膜９の振動によって発音するスピーカ２と、スピーカ２を収容するケース３と、を備え、ケース３は、振動膜９の外縁近傍に形成され、スピーカ２によって発音された音を使用者の耳における外耳道１００に伝搬させるための音通部２１と、振動膜９に面する部分に形成され、使用者の耳甲介腔１０１に面する耳珠１０２に当接するための第一当接部２２と、ヨーク１０の振動膜９とは反対側に形成され、ケース３から前記反対側へ向けて凸の湾曲状をなして膨出するとともに、耳甲介腔１０１に面する対珠１０３および前記対珠１０３に連なる耳甲介１０４に当接するための第二当接部３１と、を有し、第二当接部３１は、弾性材料で形成されている。
2020148819.tif 000002
【特許請求の範囲】
【請求項１】
振動膜と、前記振動膜を支持するヨークと、を有し、前記振動膜の振動によって発音するスピーカと、
前記スピーカを収容するケースと、を備え、
前記ケースは、
前記振動膜の外縁近傍に形成され、前記スピーカによって発音された音を使用者の耳における外耳道に伝搬させるための音通部と、
前記振動膜に面する部分に形成され、前記使用者の耳甲介腔に面する耳珠に当接するための第一当接部と、
前記ヨークの前記振動膜とは反対側に形成され、前記ケースから前記反対側へ向けて凸の湾曲状をなして膨出するとともに、前記耳甲介腔に面する対珠および前記対珠に連なる耳甲介に当接するための第二当接部と、を有し、
前記第二当接部は、弾性材料で形成されていることを特徴とするイントラコンカ型イヤホン。
【請求項２】
前記ケースは、
前記音通部および前記第一当接部を有し、前記スピーカを前記振動膜の側から覆う第一カバーと、
前記第二当接部を有し、前記スピーカを前記ヨークの側から覆う第二カバーと、を備えることを特徴とする請求項１に記載のイントラコンカ型イヤホン。
【請求項３】
音声信号を供給するための配線が挿通される筒体を更に備え、
前記筒体は、前記第一カバーの前記音通部とは反対側の外端よりも内側に固定されていることを特徴とする請求項２に記載のイントラコンカ型イヤホン。
【請求項４】
前記ケースは、前記第一カバーと前記第二カバーとの間に配置され、前記スピーカを前記ヨークの側から覆うとともに、前記第二カバーを支持する第三カバーを更に備えることを特徴とする請求項２または３に記載のイントラコンカ型イヤホン。
【請求項５】
前記第一カバーと前記第三カバーとの間には、音声信号を供給するための配線を通す配線通過構造が設けられていることを特徴とする請求項４に記載のイントラコンカ型イヤホン。
【請求項６】
前記第三カバーは、前記スピーカの背圧を逃がすための制動孔を有することを特徴とする請求項４または５に記載のイントラコンカ型イヤホン。
【請求項７】
前記第二カバーと前記第三カバーとの間には、前記第二カバーおよび前記第三カバーを位置決めする凹凸構造が設けられていることを特徴とする請求項４から６のいずれか一項に記載のイントラコンカ型イヤホン。
【請求項８】
前記第三カバーは、左耳用と右耳用とで異なる色を有することを特徴とする請求項４から７のいずれか一項に記載のイントラコンカ型イヤホン。
【請求項９】
前記弾性材料は、シリコーンゴムであることを特徴とする請求項１から８のいずれか一項に記載のイントラコンカ型イヤホン。
【発明の詳細な説明】
【技術分野】
【０００１】
本発明は、イントラコンカ型イヤホンに関する。
【背景技術】
【０００２】
従来、イヤホン本体を使用者の耳の耳甲介に装着して使用するイントラコンカ型イヤホンが知られている。例えば、特許文献１には、ケース内にカップ状のヨークを配置し、振動膜をヨークの開放端部に固定した構造が開示されている。特許文献１では、イヤホンを使用する際、耳珠と対珠とでケースを支持する。
【先行技術文献】
【特許文献】
【０００３】
【特許文献１】特開平８−１７２６９１号公報
【発明の概要】
【発明が解決しようとする課題】
【０００４】
しかしながら、耳珠と対珠とでケースを支持する場合、ケースの形状寸法、使用者の耳の大きさ等によっては、イヤホンの装着性に影響を及ぼす可能性がある。例えば、耳の小さな使用者では、ケースによって耳珠および対珠が強く圧迫され易い。一方、耳の大きな使用者では、外耳道とケースとの間の隙間が大きくなり易い。【０００５】
そこで本発明は、イントラコンカ型イヤホンにおいて、装着性を向上することを目的とする。
【課題を解決するための手段】
【０００６】
上記課題の解決手段として、本発明の態様は以下の構成を有する。
（１）本発明の態様に係るイントラコンカ型イヤホンは、振動膜と、前記振動膜を支持するヨークと、を有し、前記振動膜の振動によって発音するスピーカと、前記スピーカを収容するケースと、を備え、前記ケースは、前記振動膜の外縁近傍に形成され、前記スピーカによって発音された音を使用者の耳における外耳道に伝搬させるための音通部と、前記振動膜に面する部分に形成され、前記使用者の耳甲介腔に面する耳珠に当接するための第一当接部と、前記ヨークの前記振動膜とは反対側に形成され、前記ケースから前記反対側へ向けて凸の湾曲状をなして膨出するとともに、前記耳甲介腔に面する対珠および前記対珠に連なる耳甲介に当接するための第二当接部と、を有し、前記第二当接部は、弾性材料で形成されている。【０００７】
（２）上記（１）に記載のイントラコンカ型イヤホンでは、前記ケースは、前記音通部および前記第一当接部を有し、前記スピーカを前記振動膜の側から覆う第一カバーと、前記第二当接部を有し、前記スピーカを前記ヨークの側から覆う第二カバーと、を備えていてもよい。【０００８】
（３）上記（２）に記載のイントラコンカ型イヤホンでは、音声信号を供給するための配線が挿通される筒体を更に備え、前記筒体は、前記第一カバーの前記音通部とは反対側の外端よりも内側に固定されていてもよい。【０００９】
（４）上記（２）または（３）に記載のイントラコンカ型イヤホンでは、前記ケースは、前記第一カバーと前記第二カバーとの間に配置され、前記スピーカを前記ヨークの側から覆うとともに、前記第二カバーを支持する第三カバーを更に備えていてもよい。【００１０】
（５）上記（４）に記載のイントラコンカ型イヤホンでは、前記第一カバーと前記第三カバーとの間には、音声信号を供給するための配線を通す配線通過構造が設けられていてもよい。【００１１】
（６）上記（４）または（５）に記載のイントラコンカ型イヤホンでは、前記第三カバーは、前記スピーカの背圧を逃がすための制動孔を有していてもよい。【００１２】
（７）上記（４）から（６）のいずれか一項に記載のイントラコンカ型イヤホンでは、前記第二カバーと前記第三カバーとの間には、前記第二カバーおよび前記第三カバーを位置決めする凹凸構造が設けられていてもよい。【００１３】
（８）上記（４）から（７）のいずれか一項に記載のイントラコンカ型イヤホンでは、前記第三カバーは、左耳用と右耳用とで異なる色を有していてもよい。【００１４】
（９）上記（１）から（８）のいずれか一項に記載のイントラコンカ型イヤホンでは、前記弾性材料は、シリコーンゴムであってもよい。
【発明の効果】
【００１５】
本発明の上記（１）に記載のイントラコンカ型イヤホンによれば、ケースは、振動膜に面する部分に形成され、使用者の耳甲介腔に面する耳珠に当接するための第一当接部と、ヨークの振動膜とは反対側に形成され、ケースから前記反対側へ向けて凸の湾曲状をなして膨出するとともに、耳甲介腔に面する対珠および前記対珠に連なる耳甲介に当接するための第二当接部と、を有することで、以下の効果を奏する。
イヤホンを使用する際、第一当接部を耳珠に当接させつつ、第二当接部を対珠および耳甲介に当接させることができる。そのため、耳珠と対珠とでケースを支持する場合と比較して、広い範囲でケースを耳甲介に接触させることができる。加えて、第二当接部は、弾性材料で形成されていることで、イヤホンを使用する際、対珠および耳甲介の形状に沿うように、第二当接部を弾性変形させることができる。したがって、装着性を向上することができる。【００１６】
本発明の上記（２）に記載のイントラコンカ型イヤホンによれば、ケースは、音通部および第一当接部を有し、スピーカを振動膜の側から覆う第一カバーと、第二当接部を有し、スピーカをヨークの側から覆う第二カバーと、を備えることで、以下の効果を奏する。
第二カバーを弾性材料で形成することによって、第二当接部に弾性を持たせることができるため、装着性を向上することができる。【００１７】
本発明の上記（３）に記載のイントラコンカ型イヤホンによれば、音声信号を供給するための配線が挿通される筒体を更に備え、筒体は、第一カバーの音通部とは反対側の外端よりも内側に固定されていることで、以下の効果を奏する。
筒体が第一カバーの外側に固定された場合と比較して、小型化することができる。加えて、イヤホンを使用する際、筒体を耳珠と対珠との間に配置することができるため、筒体を目立ちにくくすることができる。【００１８】
本発明の上記（４）、（５）に記載のイントラコンカ型イヤホンによれば、ケースは、第一カバーと第二カバーとの間に配置され、スピーカをヨークの側から覆うとともに、第二カバーを支持する第三カバーを更に備えることで、以下の効果を奏する。
第二カバーが弾性変形する場合、第三カバーによって第二カバーの弾性変形量を制限することができる。加えて、第三カバーによってスピーカと第二カバーとが仕切られるため、第二カバーの変形部分がスピーカ側に入り込まないようにすることができる。【００１９】
本発明の上記（６）に記載のイントラコンカ型イヤホンによれば、第三カバーは、スピーカの背圧を逃がすための制動孔を有することで、以下の効果を奏する。
制動孔の調整によって高品質の再生音を得ることができる。加えて、制動孔を第一カバーまたは第二カバーに形成した場合と比較して、イヤホンを使用する際、制動孔には指が触れにくいため、再生音を高品質に維持することができる。【００２０】
本発明の上記（７）に記載のイントラコンカ型イヤホンによれば、第二カバーと第三カバーとの間には、第二カバーおよび第三カバーを位置決めする凹凸構造が設けられていることで、以下の効果を奏する。
第二カバーと第三カバーとを組み付ける際、第二カバーおよび第三カバーの相対位置が定まるため、製造効率を向上することができる。【００２１】
本発明の上記（８）に記載のイントラコンカ型イヤホンによれば、第三カバーは、左耳用と右耳用とで異なる色を有することで、以下の効果を奏する。
第三カバーを視認することにより、左耳用か右耳用かを容易に判別することができる。【００２２】
本発明の上記（９）に記載のイントラコンカ型イヤホンによれば、弾性材料は、シリコーンゴムであることで、以下の効果を奏する。
シリコーンゴムは、生体適合性、耐熱性、耐薬品性、撥水性、電気絶縁性などに優れているため、弾性材料として好適である。
【図面の簡単な説明】
【００２３】
【図１】実施形態に係るイントラコンカ型イヤホンの斜視図である。
【図２】実施形態に係るイントラコンカ型イヤホンの背面図である。
【図３】図２のＩＩＩ−ＩＩＩ断面図である。
【図４】図３のスピーカ周辺の拡大断面図である。
【図５】実施形態に係る第二カバーの斜視図である。
【図６】実施形態に係る第三カバーの斜視図である。
【図７】実施形態に係る配線通過構造の斜視図である。
【図８】実施形態に係る配線通過構造を図７とは反対側から見た斜視図である。
【図９】実施形態に係るイントラコンカ型イヤホンを右耳へ装着した状態を示す図である。
【図１０】図９のＸ−Ｘ断面を含む、実施形態に係るイントラコンカ型イヤホンの使用状態の説明図である。
【図１１】比較例に係るイントラコンカ型イヤホンの使用状態の説明図である。
【図１２】実施形態の変形例に係る左右のイントラコンカ型イヤホンの斜視図である。
【発明を実施するための形態】
【００２４】
以下、本発明の実施形態について図面を参照して説明する。各図において、同一構成については同一の符号を付す。実施形態においては、イヤホン本体を使用者の耳の耳甲介に装着して使用するイントラコンカ型イヤホンについて説明する。以下、イントラコンカ型イヤホンを単に「イヤホン」ともいう。実施形態においては、右耳用のイヤホンについて説明する。
【００２５】
＜イヤホン全体＞
図１は、実施形態に係るイヤホン１の斜視図である。図２は、実施形態に係るイヤホン１の背面図である。図３は、図２のＩＩＩ−ＩＩＩ断面図である。図４は、図３のスピーカ２周辺の拡大断面図である。
図１に示すように、イヤホン１は、スピーカ２（図４参照）と、スピーカ２を収容するケース３と、ケーブル５０が挿通される筒体４と、を備える。
【００２６】
＜スピーカ２＞
図４に示すように、スピーカ２は、振動膜９と、振動膜９を支持するヨーク１０と、を備える。スピーカ２は、振動膜９の振動によって発音する。例えば、スピーカ２の口径Ｄ１は、１０ｍｍ以上２０ｍｍ以下に設定される。本実施形態において、スピーカ２の口径Ｄ１は、１４．８ｍｍである。
【００２７】
ヨーク１０は、円筒状の筒壁部１１を有するカップ状をなしている。以下、ヨーク１０の軸線Ｃ１に沿う方向を「軸方向」、軸線Ｃ１に直交する方向を「径方向」、軸線Ｃ１回りの方向を「周方向」とする。
【００２８】
例えば、ヨーク１０は、磁性材料で形成されている。ヨーク１０は、筒壁部１１、フランジ部１２および底部１３を備える。筒壁部１１および底部１３は、同一の部材で一体に形成されている。
【００２９】
フランジ部１２は、筒壁部１１の第一端部（開放端部）に結合されている。フランジ部１２は、筒壁部１１の外径よりも大きい環状を有する。フランジ部１２は、筒壁部１１と同軸に設けられている。フランジ部１２は、筒壁部１１の内周部に結合された内枠部１２ａと、内枠部１２ａよりも径方向外側に配置された外枠部１２ｂと、内枠部１２ａと外枠部１２ｂとを連結する連結枠部１２ｃと、を備える。外枠部１２ｂは、連結枠部１２ｃの外周縁を基点として、筒壁部１１の第一端部から離れる方向に向けて傾斜している。
底部１３は、筒壁部１１の第二端部（軸方向で開放端部とは反対側の端部）に結合されている。底部１３は、筒壁部１１と同軸に設けられた貫通孔１３ａを有する。
【００３０】
例えば、振動膜９は、絶縁性を有するフィルム材料で形成されている。振動膜９は、筒壁部１１の外径よりも大きい円盤状を有する。振動膜９の中央部９ａは、ドーム状に膨らんでいる。振動膜９の外周部９ｂは、中央部９ａよりも小さく膨らんでいる。振動膜９は、空間を介してヨーク１０を覆っている。振動膜９の外周端部は、全周にわたってヨーク１０の外枠部１２ｂに接着されている。図中符号９ｃは、振動膜９において中央部９ａと外周部９ｂとの間に位置する環状の境界部を示す。
【００３１】
スピーカ２は、マグネット１４、ポールピース１５、回路基板１６、グロメット１７およびボイスコイル１８を更に備える。
マグネット１４は、ヨーク１０内に収容されている。マグネット１４は、筒壁部１１と同軸の円筒状を有する。マグネット１４は、底部１３の貫通孔１３ａと実質的に同じ大きさの中空部１４ａを有する。マグネット１４は、中空部１４ａを底部１３の貫通孔１３ａに揃えるようにして底部１３の第一面に配置されている。
【００３２】
例えば、ポールピース１５は、磁性材料で形成されている。ポールピース１５は、マグネット１４の第一端面に配置されている。ポールピース１５は、筒壁部１１と同軸の円環状を有する。ポールピース１５は、マグネット１４の中空部１４ａと実質的に同じ大きさの内径を有する。ポールピース１５は、マグネット１４の外径以上かつ筒壁部１１の内径よりも小さい外径を有する。ポールピース１５の外周部は、フランジ部１２の内枠部１２ａと間隔をあけて対向している。
【００３３】
回路基板１６は、底部１３の第二面に配置されている。回路基板１６は、筒壁部１１と同軸の円環状を有する。回路基板１６は、底部１３の貫通孔１３ａと実質的に同じ大きさの内径を有する。回路基板１６は、筒壁部１１の外径よりも小さい外径を有する。
【００３４】
グロメット１７は、ヨーク１０、マグネット１４、ポールピース１５および回路基板１６を同軸に一体化している。例えば、ポールピース１５または回路基板１６の側から、ヨーク１０、マグネット１４、ポールピース１５および回路基板１６の中空部および貫通孔を介して管状のグロメット１７を貫通させ、グロメット１７の両端をかしめることによって一体化する。マグネット１４、ポールピース１５および回路基板１６は、グロメット１７によってヨーク１０の底部１３に固定されている。
【００３５】
例えば、ボイスコイル１８は、絶縁被覆された絶縁導線を円筒状に巻いて形成されている。ボイスコイル１８は、振動膜９の第二面（ヨーク１０と対向する面）に固定されている。軸方向から見て、ボイスコイル１８は、振動膜９における境界部９ｃと重なっている。ボイスコイル１８は、振動膜９の中央部９ａを囲むように配置されている。ボイスコイル１８は、ポールピース１５および内枠部１２ａのそれぞれと間隔をあけて配置されている。ボイスコイル１８は、ヨーク１０およびマグネット１４のそれぞれと間隔をあけて径方向で対向している。
【００３６】
ボイスコイル１８からは、リード線（不図示）が引き出されている。リード線は、グロメット１７の中空部１７ａを介して回路基板１６に接続されている。図中符号１９は、グロメット１７の第二端部側から中空部１７ａを塞ぐ、音響インピーダンス調整用の音響制動部材である。
【００３７】
＜ケース３＞
図３に示すように、ケース３は、スピーカ２を振動膜９の側から覆う第一カバー２０と、スピーカ２をヨーク１０の側から覆う第二カバー３０と、第一カバー２０と第二カバー３０との間に配置され、スピーカ２をヨーク１０の側から覆う第三カバー４０と、を備える。
【００３８】
例えば、第一カバー２０は、合成樹脂で形成されている。第一カバー２０は、軸方向から見て円形状の外縁を有する（図８参照）。第一カバー２０は、全体的に扁平に形成されている。例えば、第一カバー２０は、接着剤などで第三カバー４０に固定されている。
【００３９】
第一カバー２０は、スピーカ２によって発音された音を使用者の耳における外耳道１００に伝搬させるための音通部２１と、使用者の耳甲介腔１０１に面する耳珠１０２に当接するための第一当接部２２と、を備える（図１０参照）。  
【００４０】
音通部２１は、ケース３において振動膜９の外縁近傍に形成されている。音通部２１は、ケース３の外側に向けて軸線と交差するように斜めに突出している。音通部２１には、ケース３の内外を連通する音通孔２１ａが形成されている。音通孔２１ａは、長孔形状を有する（図１参照）。
【００４１】
第一当接部２２は、ケース３において振動膜９に面する部分に形成されている。第一当接部２２において音通部２１近傍の外面は、使用者の耳珠１０２に当接するための耳珠当接面２３を形成している（図１０参照）。
【００４２】
第二カバー３０は、弾性材料で形成されている。例えば、第二カバー３０は、シリコーンゴムで形成されている。第二カバー３０は、第一カバー２０および第三カバー４０のそれぞれよりも剛性が低い。第二カバー３０は、軸方向から見て第一カバー２０と実質的に同じ円形状の第一外縁３０ａと、第一外縁３０ａよりも径方向外側に膨出する第二外縁３０ｂと、を有する（図５参照）。例えば、第二カバー３０は、接着剤などで第三カバー４０に固定されている。
【００４３】
第二カバー３０は、第一カバー２０とは反対側に向けて第一カバー２０よりも大きく膨らんでいる。第二カバー３０は、使用者の耳甲介腔１０１に面する対珠１０３および前記対珠１０３に連なる耳甲介１０４に当接するための第二当接部３１と、第二当接部３１に連結された連結部３２と、を備える（図１０参照）。
【００４４】
第二当接部３１は、ケース３においてヨーク１０の第二端部側（振動膜９とは反対側）に形成されている。第二当接部３１は、ケース３から前記反対側（外部）へ向けて凸の湾曲状をなして膨出している。第二当接部３１の膨出端３１ａ（軸方向で最も前記反対側へ膨出する部分）は、軸線Ｃ１に対して音通部２１とは反対側にオフセットしている。軸方向でヨーク１０の振動膜９（振動膜９を支持する部分）とは反対側から見て（以下「背面視」ともいう。）、第二当接部３１は、楕円形状を有する（図２参照）。第二当接部３１の外面は、使用者の対珠１０３および耳甲介１０４に当接するための耳甲介当接面３３を形成している（図１０参照）。
【００４５】
連結部３２は、ケース３においてヨーク１０の第二端部側に形成されている。連結部３２は、ケース３において音通部２１とは反対側に形成されている。連結部３２は、第二当接部３１と第三カバー４０との間をわたすようになだらかに傾斜している。背面視で、連結部３２は、三日月形状を有する（図２参照）。
【００４６】
例えば、第三カバー４０は、合成樹脂で形成されている。第三カバー４０は、軸方向から見て円形状の外縁を有する（図６参照）。第三カバー４０は、第二カバー３０を支持している。第三カバー４０は、スピーカ２の背圧を逃がすための制動孔４１を有する（図６参照）。第三カバー４０は、スピーカ２をヨーク１０の側から覆う覆い部４２と、第一カバー２０の外周縁部と第二カバー３０の外周縁部との間に配置された環状の支持枠部４３と、第一カバー２０の外周縁部に嵌め合わされた環状の嵌合枠部４４と、を備える。
【００４７】
覆い部４２は、ヨーク１０の底部１３と実質的に平行に配置された平壁部４２ａと、平壁部４２ａと支持枠部４３とを連結する連結壁部４２ｂと、を備える。
平壁部４２ａは、第二カバー３０および回路基板１６のそれぞれから離反している。平壁部４２ａは、軸方向から見て楕円形状を有する（図６参照）。
連結壁部４２ｂは、第二カバー３０における連結部３２の傾斜に沿うように傾斜する傾斜壁部４２ｃと、回路基板１６の端子部５５（はんだ付け部分）を避けるように窪む逃げ凹部４２ｄと、を有する。傾斜壁部４２ｃは、第二カバー３０における連結部３２の内面に当接している。連結壁部４２ｂにおいて逃げ凹部４２ｄ近傍の部分は、第二カバー３０および回路基板１６のそれぞれから離反している。
【００４８】
支持枠部４３は、音通部２１からの位置が遠くなるに従って高さ（軸方向の長さ）が漸次大きくなる形状を有する。制動孔４１は、支持枠部４３の内外を連通している（図６参照）。制動孔４１は、支持枠部４３において筒体４とは反対側（図１の紙面上側）に配置されている（図１参照）。制動孔４１は、長孔形状を有する（図６参照）。
嵌合枠部４４は、支持枠部４３の外径よりも小さい環状を有する（図７参照）。
【００４９】
＜筒体４＞
図１に示すように、筒体４は、ケース３における第一カバー２０に結合されている。筒体４は、第一カバー２０の音通部２１とは反対側の外端２０ａよりも内側に固定されている（図２参照）。筒体４は、第一カバー２０の外端部から一方向（図２の紙面下方向）に向けて延在している。筒体４には、電子機器（不図示）に接続されるケーブル５０が挿通されている。ケーブル５０には、スピーカ２に音声信号を供給するための配線５１（図７参照）が内蔵されている。
【００５０】
＜配線通過構造６０＞
図７に示すように、第一カバー２０と第三カバー４０との間には、音声信号を供給するための配線５１を通す配線通過構造６０が設けられている（図８参照）。配線通過構造６０は、筒体４の取付部（筒体４における第一カバー２０との結合部）に形成された第一切欠き６１と、第一カバー２０の外周縁部に形成された第二切欠き６２と、第三カバー４０の嵌合枠部４４に形成された第三切欠き６３と、を有する（図８参照）。
【００５１】
図８に示すように、軸方向から見て、第一切欠き６１は、半円形状を有する。第二切欠き６２は、径方向で第一切欠き６１と連続している。第三切欠き６３（図７参照）は、軸方向で第二切欠き６２と連続している。配線５１は、第一切欠き６１、第二切欠き６２および第三切欠き６３を介して、回路基板１６の端子部５５に接続されている。図８においては、２本の配線５１が周方向で隣り合う２つの端子部５５にそれぞれ接続されている例を示す。
【００５２】
図７に示すように、第三カバー４０は、第一切欠き６１（図８参照）を塞ぐための閉塞凸部４５を有する。閉塞凸部４５は、軸方向で第一切欠き６１と重なる外形を有する。閉塞凸部４５は、嵌合枠部４４から径方向外側に突出する半円形状を有する。
【００５３】
＜凹凸構造７０，８０＞
図７に示すように、第一カバー２０と第三カバー４０との間には、第一カバー２０および第三カバー４０を位置決めする凹凸構造７０（以下「第一凹凸構造７０」ともいう。）が設けられている（図８参照）。第一凹凸構造７０は、第一カバー２０と第三カバー４０との取付部に設けられている。
図３に示すように、第二カバー３０と第三カバー４０との間には、第二カバー３０および第三カバー４０を位置決めする凹凸構造８０（以下「第二凹凸構造８０」ともいう。）が設けられている。第二凹凸構造８０は、第二カバー３０と第三カバー４０との取付部に設けられている。
【００５４】
図７に示すように、第一凹凸構造７０は、第一カバー２０の外周縁部に形成された凹部７１（図８参照）と、第三カバー４０の支持枠部４３に形成された凸部７２と、を有する。凹部７１は、第一カバー２０の外周縁部の径方向内壁に形成されている（図８参照）。凸部７２は、軸方向で凹部７１と重なる。凸部７２は、第三カバー４０の嵌合枠部４４の径方向外側に配置されている。
【００５５】
図３に示すように、第二凹凸構造８０は、第二カバー３０の外周縁部に形成された凸構造８１と、第三カバー４０の支持枠部４３に形成された凹構造８２と、を有する。
凸構造８１は、第二カバー３０の外周縁部の径方向内壁に形成された複数の凸部８１ａを備える（図５参照）。図５に示すように、複数の凸部８１ａは、周方向に間隔をあけて配置されている。本実施形態では、４つの凸部８１ａが周方向に実質的に等間隔で配置されている。軸方向から見て、凸部８１ａは、円弧状を有する。
【００５６】
図６に示すように、凹構造８２は、第三カバー４０の支持枠部４３の径方向内側に形成された複数の取付孔８２ａを有する。複数の取付孔８２ａは、周方向に間隔をあけて配置されている。本実施形態では、４つの取付孔８２ａが周方向に実質的に等間隔で配置されている。軸方向から見て、取付孔８２ａは、連結壁部４２ｂの外周縁に沿う円弧状を有する。図３に示すように、凸構造８１の凸部８１ａは、軸方向で凹構造８２の取付孔８２ａと重なる。
【００５７】
＜音声信号の供給経路＞
回路基板１６には、電子機器（不図示）からケーブル５０を介して音声信号が供給される（図８参照）。すると、回路基板１６からリード線を介して音声信号がボイスコイル１８に供給される（図４参照）。すると、ボイスコイル１８が変位することにより、振動膜９が振動する。これにより、スピーカ２が発音する。スピーカ２によって発音された音は、音通孔２１ａを通じて使用者の耳における外耳道１００へ伝搬される（図１０参照）。
【００５８】
＜作用＞
以下、本実施形態のイヤホン１の作用について説明する。
図９は、実施形態に係るイヤホン１を右耳へ装着した状態を示す図である。図１０は、図９のＸ−Ｘ断面を含む、本実施形態に係るイヤホン１の使用状態の説明図である。図１１は、比較例に係るイヤホン１Ｘの使用状態の説明図である。
【００５９】
まず、比較例について説明する。
図１１に示すように、比較例に係るイヤホン１Ｘは、ケース３Ｘ内にカップ状のヨーク１０Ｘを配置し、振動膜９Ｘをヨーク１０Ｘの開放端部に固定した構造を備える。比較例では、イヤホン１Ｘを使用する際、耳珠１０２と対珠１０３とでケース３Ｘを支持する。
ケース３Ｘは、ロート状のケース基部５Ｘと、ケース基部５Ｘの先端（図中右側）を覆う前面カバー６Ｘと、を備える。ヨーク１０Ｘの開放端部は、前面カバー６Ｘ内に固定されている。振動膜９Ｘの振動によって発音された音は、振動膜９Ｘ前方の音通孔７Ｘから外部へ伝搬される。
【００６０】
比較例においては、ケース３Ｘ（具体的には、スピーカ２Ｘ外周近傍の部分）の形状寸法、使用者の耳の大きさ等によって、イヤホン１Ｘの装着性に影響を及ぼす可能性がある。例えば、耳の小さな使用者では、ケース３Ｘによって耳珠１０２および対珠１０３が強く圧迫され易い。一方、耳の大きな使用者では、外耳道１００とケース３Ｘとの間の隙間が大きくなり易い。
外耳道１００とケース３Ｘとの間の隙間が大きくなると、低音の再生が不十分になる可能性が高い。加えて、ケース３Ｘの側部（図１１では紙面上部）が外耳道１００に入り込み、振動膜９Ｘが耳甲介１０４に対向し、振動膜９Ｘが外耳道１００から離れることにより、再生音が外耳道１００へ十分に伝わらない可能性が高い。
【００６１】
加えて、比較例においては、イヤホン１Ｘを使用する際、ケース３Ｘにおいてスピーカ２Ｘ外周近傍の部分が耳珠１０２と対珠１０３とで支持されるため、スピーカ２Ｘの口径が制限され易い。比較例においては、スピーカ２Ｘ全体が耳甲介腔１０１に配置されるため、耳甲介腔１０１の大きさによってスピーカ２Ｘの口径が決定される。例えば、比較例においては、スピーカ２Ｘの口径は、１３ｍｍ以上１６ｍｍ以下に設定される。
【００６２】
次に、本実施形態について図１０を参照して説明する。
本実施形態においては、イヤホン１を使用する際、ケース３における第一当接部２２が耳珠１０２に当接し、かつ、弾性を持つ第二当接部３１が、耳甲介腔１０１に面する対珠１０３および前記対珠１０３に連なる耳甲介１０４に当接する。そのため、比較例よりも広い範囲でケース３を耳甲介１０４に接触させることができる。
加えて、本実施形態においては、第二当接部３１の弾性によって、音通孔２１ａが外耳道１００へ指向するように、音通部２１が外耳道１００の入口部に挿入される。そのため、低音の再生を十分に得ることができる。加えて、音漏れを減少することができ、再生音を外耳道１００へ十分に伝えることができる。
【００６３】
更に、本実施形態においては、音通部２１が外耳道１００の入口部に接する構造であり、ケース３においてスピーカ２外周近傍の部分は耳珠１０２と対珠１０３とで支持されない。ケース３においてスピーカ２外周近傍の部分を含む側部（図１０の紙面左側部）は、外部にはみ出る。そのため、スピーカ２の口径が制限されにくい。例えば、本実施形態においては、スピーカ２の口径は、１０ｍｍ以上２０ｍｍ以下に設定可能である。
本実施形態においては、スピーカ２の一端部が外部空間にはみ出すように配置されるため、比較例のスピーカ２Ｘよりも大きい口径のスピーカ２を採用することも可能となる。この場合、低域の再生能力を強化することができ、より高音質化することができる。
加えて、本実施形態においては、音通部２１が外耳道１００に挿入されるため、比較例のケース３Ｘよりも深く外耳道１００にケース３が入り込むことにより、密閉度が向上する。そのため、比較例のスピーカ２Ｘよりも小型のスピーカ２を採用することも可能となる。
【００６４】
以上説明したように、上記実施形態におけるイヤホン１は、振動膜９と、振動膜９を支持するヨーク１０と、を有し、振動膜９の振動によって発音するスピーカ２と、スピーカ２を収容するケース３と、を備え、ケース３は、振動膜９の外縁近傍に形成され、スピーカ２によって発音された音を使用者の耳における外耳道１００に伝搬させるための音通部２１と、振動膜９に面する部分に形成され、使用者の耳甲介腔１０１に面する耳珠１０２に当接するための第一当接部２２と、ヨーク１０の振動膜９とは反対側に形成され、ケース３から前記反対側へ向けて凸の湾曲状をなして膨出するとともに、耳甲介腔１０１に面する対珠１０３および前記対珠１０３に連なる耳甲介１０４に当接するための第二当接部３１と、を有し、第二当接部３１は、弾性材料で形成されている。
この構成によれば、イヤホン１を使用する際、第一当接部２２を耳珠１０２に当接させつつ、第二当接部３１を対珠１０３および耳甲介１０４に当接させることができる。そのため、耳珠１０２と対珠１０３とでケースを支持する場合と比較して、広い範囲でケース３を耳甲介１０４に接触させることができる。加えて、第二当接部３１は、弾性材料で形成されていることで、イヤホン１を使用する際、対珠１０３および耳甲介１０４の形状に沿うように、第二当接部３１を弾性変形させることができる。したがって、装着性を向上することができる。
加えて、イヤホン１を使用する際、第二当接部３１の弾性によって、音通部２１が外耳道１００に挿入されるため、低音の再生を十分に得ることができる。加えて、音漏れを減少することができ、再生音を外耳道１００へ十分に伝えることができる。
【００６５】
上記実施形態では、ケース３は、音通部２１および第一当接部２２を有し、スピーカ２を振動膜９の側から覆う第一カバー２０と、第二当接部３１を有し、スピーカ２をヨーク１０の側から覆う第二カバー３０と、を備えることで、以下の効果を奏する。
第二カバー３０を弾性材料で形成することによって、第二当接部３１に弾性を持たせることができるため、装着性を向上することができる。
【００６６】
上記実施形態では、音声信号を供給するための配線５１が挿通される筒体４を更に備え、筒体４は、第一カバー２０の音通部２１とは反対側の外端２０ａよりも内側に固定されていることで、以下の効果を奏する。
筒体４が第一カバー２０の外側に固定された場合と比較して、小型化することができる。加えて、イヤホン１を使用する際、筒体４を耳珠１０２と対珠１０３との間に配置することができるため、筒体４を目立ちにくくすることができる。
【００６７】
上記実施形態では、ケース３は、第一カバー２０と第二カバー３０との間に配置され、スピーカ２をヨーク１０の側から覆うとともに、第二カバー３０を支持する第三カバー４０を更に備えることで、以下の効果を奏する。
第二カバー３０が弾性変形する場合、第三カバー４０によって第二カバー３０の弾性変形量を制限することができる。加えて、第三カバー４０によってスピーカ２と第二カバー３０とが仕切られるため、第二カバー３０の変形部分がスピーカ２側に入り込まないようにすることができる。
【００６８】
上記実施形態では、第三カバー４０は、スピーカ２の背圧を逃がすための制動孔４１を有することで、以下の効果を奏する。
制動孔の調整によって高品質の再生音を得ることができる。加えて、制動孔４１を第一カバー２０または第二カバー３０に形成した場合と比較して、イヤホン１を使用する際、制動孔４１には指が触れにくいため、再生音を高品質に維持することができる。
【００６９】
上記実施形態では、第二カバー３０と第三カバー４０との間には、第二カバー３０および第三カバー４０を位置決めする凹凸構造８０が設けられていることで、以下の効果を奏する。
第二カバー３０と第三カバー４０とを組み付ける際、第二カバー３０および第三カバー４０の相対位置が定まるため、製造効率を向上することができる。
【００７０】
上記実施形態では、弾性材料は、シリコーンゴムであることで、以下の効果を奏する。
シリコーンゴムは、生体適合性、耐熱性、耐薬品性、撥水性、電気絶縁性などに優れているため、弾性材料として好適である。
【００７１】
＜変形例＞
上記実施形態では、第二カバー３０全体が弾性材料で形成されている例を挙げて説明したが、これに限らない。例えば、第二カバー３０の一部（第二当接部３１のみ）が弾性材料で形成されていてもよい。また、ケース３全体が弾性材料で形成されていてもよい。すなわち、ケース３において少なくとも第二当接部３１が弾性材料で形成されていればよい。
【００７２】
上記実施形態では、弾性材料がシリコーンゴムである例を挙げて説明したが、これに限らない。例えば、弾性材料は、ウレタンゴム、フッ素ゴム等のシリコーンゴム以外のゴムであってもよい。
【００７３】
上記実施形態では、ケース３は、第一カバー２０と第二カバー３０との間に配置された第三カバー４０を備える例を挙げて説明したが、これに限らない。例えば、ケース３は、第三カバー４０を有していなくてもよい。例えば、ケース３は、第一カバー２０と第二カバー３０とが組み合わされることで形成されていてもよい。
【００７４】
上記実施形態では、第二カバー３０が第三カバー４０に接着剤などで固定されている例を挙げて説明したが、これに限らない。例えば、第二カバー３０は、第三カバー４０に着脱可能に取り付けられていてもよい。例えば、第二カバー３０と第三カバー４０との間には、接着剤などが介在していなくてもよい。例えば、第二カバー３０は、第三カバー４０の取付孔部にスナップフィットの爪構造を備えていてもよい。
【００７５】
上記実施形態では、第一凹凸構造７０が、第一カバー２０に形成された凹部７１と、第三カバー４０に形成された凸部７２と、を有する例を挙げて説明したが、これに限らない。例えば、第一凹凸構造７０は、第一カバー２０に形成された凸部と、第三カバー４０に形成された凹部と、を有していてもよい。
【００７６】
上記実施形態では、第二凹凸構造８０が、第二カバー３０に形成された凸構造８１と、第三カバー４０に形成された凹構造８２と、を有する例を挙げて説明したが、これに限らない。例えば、第二凹凸構造８０は、第二カバー３０に形成された凹構造と、第三カバー４０に形成された凸構造と、を有していてもよい。
【００７７】
上記実施形態では、右耳用のイヤホン１を挙げて説明したが、これに限らない。左耳用のイヤホンについても本発明を適用可能である。例えば、左耳用のイヤホンと右耳用のイヤホンとを、左右対称構造（左右勝手違い部品）とすることで対応可能である。
【００７８】
図１２は、実施形態の変形例に係る左右のイヤホンの斜視図である。図１２は、上記実施形態のイヤホンを左耳用および右耳用のそれぞれに適用した一対のイヤホンであって、左耳用と右耳用とで第三カバーの色を互いに異ならせた例を示している。図１２においては、左耳用の要素の符号末尾に「Ｌ」を付し、右耳用の要素の符号末尾に「Ｒ」を付している。
【００７９】
図１２に示すように、左耳用のイヤホン１Ｌは、右耳用のイヤホン１Ｒをミラー反転した形状を有する。左耳用のイヤホン１Ｌにおける第三カバー４０Ｌ（以下「左側第三カバー４０Ｌ」ともいう。）は、右耳用のイヤホン１Ｒにおける第三カバー４０Ｒ（以下「右側第三カバー４０Ｒ」ともいう。）とは異なる色を有していてもよい。左側第三カバー４０Ｌは、第一の色（例えば青色）に設定される。右側第三カバー４０Ｒは、第一の色とは異なる第二の色（例えば赤色）に設定される。
【００８０】
本変形例では、第三カバー４０Ｌ，４０Ｒは、左耳用と右耳用とで異なる色を有することで、以下の効果を奏する。
第三カバー４０Ｌ，４０Ｒを視認することにより、左耳用か右耳用かを容易に判別することができる。
【００８１】
なお、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、組み合わせ、変更が可能である。上記実施形態とその変形は、発明の範囲と発明の要旨に含まれると同様に、特許請求の範囲に記載された発明とその均等の範囲に含まれるものである。
【符号の説明】
【００８２】
１  イヤホン（イントラコンカ型イヤホン）
２  スピーカ
３  ケース
４  筒体
９  振動膜
１０  ヨーク
２０  第一カバー
２０ａ  第一カバーの音通部とは反対側の外端
２１  音通部
２２  第一当接部
３０  第二カバー
３１  第二当接部
４０  第三カバー
４１  制動孔
５１  配線
６０  配線通過構造
８０  第二凹凸構造（凹凸構造）
１００  外耳道
１０１  耳甲介腔
１０２  耳珠
１０３  対珠
１０４  耳甲介
【図１】
2020148819.tif 000003
【図２】
2020148819.tif 000004
【図３】
2020148819.tif 000005
【図４】
2020148819.tif 000006
【図５】
2020148819.tif 000007
【図６】
2020148819.tif 000008
【図７】
2020148819.tif 000009
【図８】
2020148819.tif 000010
【図９】
2020148819.tif 000011
【図１０】
2020148819.tif 000012
【図１１】
2020148819.tif 000013
【図１２】
2020148819.tif 000014
【国際調査報告】
2020148819.tif 000015
2020148819.tif 000016
2020148819.tif 000017